(57)【要約】【課題】複数のイベントが重複して発生した場合に、オペレータがいずれかのイベントを見落とすおそれを抑制することのできる火災関連情報表示機を得る。【解決手段】複数の端末機器と接続され、複数の端末機器からの送信情報に基づいてイベントの発生を判定する判定部（１１、１３）と、判定部により３つ以上のイベントが重複して発生したと判定された場合には、イベントの属性に応じて個別設定された背景色を用いて、３つ以上のイベントを１画面内に表示させる表示制御部（１４）と備える。【選択図】図２
2020017045.tif 000002
【特許請求の範囲】
【請求項１】
複数の端末機器と接続され、前記複数の端末機器からの送信情報に基づいてイベントの発生を判定する判定部と、
前記判定部により３つ以上のイベントが重複して発生したと判定された場合には、イベントの属性に応じて個別設定された背景色を用いて、前記３つ以上のイベントを１画面内に表示させる表示制御部と
を備えた火災関連情報表示機。
【請求項２】
鳴動指令に応じて、イベントごとにあらかじめ設定された警報音および音声による報知を行う報知部をさらに備え、
前記表示制御部は、前記判定部により前記３つ以上のイベントが重複して発生したと判定された場合には、あらかじめ設定されたイベントごとの重要度に応じて、前記３つ以上のイベントのうち、前記重要度の高い１つまたは２つの重要イベントに限定して、前記警報音および前記音声の両方を用いた報知を行うように前記鳴動指令を出力し、前記３つ以上のイベントのうち、前記重要イベント以外のイベントに関しては、前記警報音を用いた報知を省略し、前記音声を用いた報知を行うように前記鳴動指令を出力する
請求項１に記載の火災関連情報表示機。
【発明の詳細な説明】
【技術分野】
【０００１】
本発明は、複数の端末機器からの情報に基づいて、火災発生状況を検出する火災受信機等の火災関連情報表示機に関する。
【背景技術】
【０００２】
従来、火災の要因となる煙の発生、温度上昇、ガス漏れ等を監視する火災報知設備に用いられる火災受信機は、防災センター、管理室などに設置されている。火災受信機は、火災監視区域ごとに設置されている１以上の端末機器から信号を受信することで、火災発生の有無を判断している。
【０００３】
また、スプリンクラー設備等の消火設備を監視する消火システム制御盤も同様に防災センター、管理室等に設置されて、配管内圧力の変動等を端末機器から受信することで、火災発生の有無を判断している。
【０００４】
このような火災報知設備、消火設備において、火災発生要因を識別しやすくする従来技術がある（たとえば、特許文献１参照）。より具体的には、特許文献１に係る受信機は、代表表示部において、火災代表灯、ガス漏れ代表灯、および防排煙代表灯が設けられ、それぞれ固有のマークが描かれており、受信時には、対応するそれぞれの表示灯が点滅して、警報受信を示すように構成されている。
【先行技術文献】
【特許文献】
【０００５】
【特許文献１】特開２００９−８７１１１号公報
【発明の概要】
【発明が解決しようとする課題】
【０００６】
しかしながら、従来技術には、以下のような課題がある。
特許文献１に係る従来技術は、特許文献１の図４に示されているように、１画面内において、火災代表灯、ガス漏れ代表灯、および防排煙代表灯を、個別のマークを用いて識別表示させている。しかしながら、マークの大きさには限界があり、このようなマーク表示でイベントを識別させることだけでは、オペレータに与えるインパクトが必ずしも大きくなく、オペレータによってイベントが見落とされる、あるいは十分にイベントが識別されないおそれがある。
【０００７】
特に、イベントが同時に複数発生した場合には、オペレータは、１つのイベントを認識することはできたとしても、その他のイベントを見落としてしまうおそれがある。
【０００８】
本発明は、前記のような課題を解決するためになされたものであり、複数のイベントが重複して発生した場合に、オペレータがいずれかのイベントを見落とすおそれを抑制することのできる火災関連情報表示機を得ることを目的とする。
【課題を解決するための手段】
【０００９】
本発明に係る火災関連情報表示機は、複数の端末機器と接続され、複数の端末機器からの送信情報に基づいてイベントの発生を判定する判定部と、判定部により３つ以上のイベントが重複して発生したと判定された場合には、イベントの属性に応じて個別設定された背景色を用いて、３つ以上のイベントを１画面内に表示させる表示制御部と備えたものである。
【発明の効果】
【００１０】
本発明によれば、複数のイベントが重複して発生した場合にも、少なくとも３つ以上のイベントを１画面内に同時に表示させる機能を有する。この結果、複数のイベントが重複して発生した場合に、オペレータがいずれかのイベントを見落とすおそれを抑制することのできる火災関連情報表示機を得ることができる。
【図面の簡単な説明】
【００１１】
【図１】本発明の実施の形態１に係る火災報知設備の全体構成図である。
【図２】本発明の実施の形態１に係る火災受信機の機能ブロック図である。
【図３】本発明の実施の形態１において、３つのイベントが重複して検出された場合を表示した画面例１を示す図である。
【図４】本発明の実施の形態１において、４つのイベントが重複して検出された場合を表示した画面例２を示す図である。
【発明を実施するための形態】
【００１２】
以下、本発明の火災関連情報表示機のうち、火災受信機の好適な実施の形態につき、図面を用いて説明する。
【００１３】
実施の形態１．
図１は、本発明の実施の形態１に係る火災報知設備の全体構成図である。図１に示す火災報知設備は、火災受信機１０と、４台の端末機器２０（１）〜２０（４）と、中継器３０とを備えて構成されている。ここで、２台の端末機器２０（１）、２０（２）、および中継器３０は、火災受信機１０と直接接続されている。また、２台の端末機器２０（３）、２０（４）は、中継器３０に直接接続されており、この中継器３０を介して火災受信機１０と接続されている。なお、端末機器２０、中継器３０の個数は、この図１の例に限定されるものではない。
【００１４】
図１に示した火災報知設備は、いわゆるＲ型火災報知設備である。従って、４台の端末機器２０（１）〜２０（４）は、測定結果、感知結果等をアナログ信号として出力し、火災受信機１０側で、これらのアナログ信号の受信結果に基づいて、火災の有無を判定している。
【００１５】
また、端末機器２０の代表例としては、以下のような光電アナログ感知器および熱アナログ感知器が挙げられる。
・光電アナログ感知器
火災監視区域において、投光部から照射された光が、煙の影響を受けて減光され、受光部で受光されることで、煙の発生をアナログ値として検出できる煙感知器、あるいは、投光部から照射された光が煙の粒子によって散乱した散乱光を受光部が受光することで、煙の発生をアナログ値として検出できる煙感知器に相当する。
・熱アナログ感知器
火災監視区域において、熱をアナログ値として検出できる熱感知器に相当する。
【００１６】
また、火災監視区域における周辺状況を計測できる端末機器として、気温、気圧、湿度、ＣＯガス等を計測する計測器を用いることもできる。
【００１７】
さらに、以下のような各種センサを、端末機器として使用することも可能である。
・圧力センサ
消火システムの配管経路中に圧力センサを接続し、配管内圧力を監視することで、スプリンクラー放出などの状態を知ることができる。
【００１８】
また、４−２０ｍＡの電流計測を行う中継器を介することで、業界標準となっている４−２０ｍＡの電流計測に対応している市販のセンサ類を、端末機器２０として自由に接続することが可能となる。このセンサ類の具体例としては、ガスセンサ、炎センサが挙げられる。
【００１９】
また、ボタンが押されることで、火災が発生したことを通報する発信機を、端末機器２０として使用することも可能である。すなわち、本実施の形態１で用いられる端末機器２０は、火災受信機１０が火災発生の有無を判断するために用いられる火災関連情報を送信情報として送信するものである。そして、送信情報は、上述したような各種の感知結果情報、計測結果情報、操作結果情報等を含んで構成されることとなる。
【００２０】
なお、端末機器２０による検出結果は、リアルタイムに得られる現在値ばかりでなく、一定期間にわたる時系列データをトレンド履歴として、火災受信機に表示させることが考えられる。そして、このようなトレンドデータを表示できる機能を持たせることで、誤発報の原因をより早急に突き止めることが可能になる。
【００２１】
たとえば、圧力センサの検出結果が、時系列データのトレンド履歴として残っていれば、一気に圧力が抜けたのか、徐々に圧力が抜けたのかなどの現象を、事後に検証することが可能となる。
【００２２】
端末機器２０としてガスセンサを用いる場合には、検出結果の時系列データとして得られたガス濃度のトレンド履歴を、事後において検証するために活用することができる。同様に、端末機器２０として炎センサを用いる場合には、検出結果の時系列データとして得られた炎の大きさのトレンド履歴を、事後において検証するために活用することができる。
【００２３】
さらに、端末機器２０として差動式熱感知器を用いて気圧を検出する場合には、急激な気圧の低下により、誤発報となってしまう場合が考えられる。このような場合にも、検出結果の時系列データとして得られた気圧のトレンド履歴を参照することで、差動式熱感知器の非火災報の原因究明を行うことができる。
【００２４】
図２は、本発明の実施の形態１に係る火災受信機１０の機能ブロック図である。なお、図１において示した複数の端末機器２０（１）〜２０（４）は、図２においては、単に複数の端末機器２０として図示されている。そして、複数の端末機器２０としては、上述したような種々の感知器、計測器が考えられ、所望の火災監視区域に設置することができる。
【００２５】
図２に示した火災受信機１０は、受信部１１、記憶制御部１２、火災判定部１３、表示制御部１４、操作制御部１５、記憶部１６、報知部１７、表示部１８、および操作部１９の各機構を備えて構成されている。なお、受信部１１、記憶制御部１２、火災判定部１３、表示制御部１４、および操作制御部１５の機能は、１つの制御部によって、まとめて実施することも可能である。
【００２６】
受信部１１は、各端末機器２０から送信情報として出力されたアナログ信号をあらかじめ決められたサンプリング間隔で取得し、さらに、アナログ／デジタル変換を行ってデジタル値を生成する。なお、サンプリング間隔は、すべての端末機器２０で共通の値である必要はなく、計測すべき物理量、火災監視区域などに応じて、個別に適切な値を設定することができる。
【００２７】
記憶制御部１２は、受信部１１で生成された、それぞれの端末機器２０による検出結果のデジタル値を、順次、記憶部１６に記憶させる。この際、記憶制御部１２は、あらかじめ決められた一定時間分の時系列データが、記憶部１６内に残るように、記憶データの更新を行っていく。たとえば、１０個のデータが一定時間内に得られる時系列データについては、記憶制御部１２は、最新の１０個のデータが記憶部１６内に記憶されるように、時系列データの更新処理を行うこととなる。従って、順次更新処理が行われることで、記憶部１６内には、直近の所定期間における最新の計測値の遷移状態が、記憶されていくこととなる。
【００２８】
火災判定部１３は、記憶部１６内に記憶されている最新の時系列データまたは最新のリアルタイムデータに基づいて、火災が発生したか否かを判定する。さらに、火災判定部１３は、火災が発生したと判断した場合には、報知部１７を介して、火災発生状況を報知することができる。なお、この火災判定部１３による判定処理は、従来技術と同じであり、詳細な説明は、省略する。
【００２９】
表示制御部１４は、記憶部１６に記憶されている、各端末機器の検出履歴である時系列データに基づいて、端末機器の検出結果を、表示部１８の画面上に表示させる表示制御を行う。
【００３０】
なお、火災判定部１３により火災が発生したと判断された場合には、記憶制御部１２は、更新処理を継続する一方で、火災が発生したと判断した時刻直前の所定時間分のデータを、別途保存させておくことができる。これにより、記憶部１６内には、火災が発生したと判断した時点を最新データとするトレンド履歴が、通常の更新処理されたデータとは別に保持されることとなる。この結果、表示制御部１４による表示制御を行うことで、火災が発生したと判断した時点を最新データとする時系列データを容易に表示させることができ、誤発報の原因を早急に突き止めることが可能となる。
【００３１】
また、表示制御部１４は、火災判定部１３により３つ以上のイベントが重複して発生したと判定された場合には、イベントの属性に応じて個別設定された背景色を用いて、３つ以上のイベントを１画面内に表示させることができる。この機能の詳細については、図３，図４を用いて後述する。
【００３２】
操作制御部１５は、操作部１９を介してオペレータにより入力される操作入力を読み取り、操作入力に応じた処理を実行する。ここで、図１に示したような火災報知設備において、オペレータは、発生したイベントに応じて適切な操作を実行し、火災情報の報知、消火作業の指示等を迅速に行うことが要求される。
【００３３】
本実施の形態１では、ある時間帯において、複数の端末機器から火災が発生したと判定される情報（以下、このような情報をイベントと称す）を重複して受信した場合に、オペレータに対して重複して発生した複数のイベントを提供し、かつ、オペレータが複数のイベントのいずれも確実に認識でき、見落とすおそれを抑制できる表示機能を備えている。
【００３４】
より具体的には、本実施の形態１に係る火災受信機は、ある時間帯において重複して発生したイベントが存在する場合に、オペレータが重複発生したイベントのすべてを認識でき、いずれかを見落とすおそれを抑制できる表示機能を有することを技術的特徴としている。そこで、以下では、具体的な表示機能について、画面例１、画面例２を参照しながら詳細に説明する。
【００３５】
＜画面例１：３つのイベントが重複して検出された場合の画面表示＞
図３は、本発明の実施の形態１において、３つのイベントが重複して検出された場合を表示した画面例１を示す図である。
【００３６】
図３における画面表示エリアは、上段の情報表示エリア１１０と、下段の操作表示エリア１２０とに大別される。情報表示エリア１１０には、第１イベント１１１と、第２イベント１１２と、第３イベント１１３とが、ある時間帯で重複して発生した際の表示例が示されている。具体的には、この図３では、以下の３つのイベントが重複した場合を例示している。
【００３７】
第１イベント１１１：火災判定部１３が、１台の発信機から発報情報を受信し、火災発生情報の１つとして判定し、火災が発生した旨を表示したもの。
第２イベント１１２：火災判定部１３が、１台の防火ダンパから防火ダンパが閉鎖した情報を受信し、かつ、１台の消火ポンプが起動した情報を受信し、火災発生情報の１つとして判定し、端末装置が作動した旨を表示したもの。
第３イベント１１３：火災判定部１３が、１台のガス漏れ検知器からの検出情報を受信し、火災発生情報の１つとして判定し、ガス漏れ警報が発生した旨を表示したもの。
【００３８】
また、操作表示エリア１２０は、左側の文字表示エリア１２０Ａと、右側のイラスト表示エリア１２０Ｂを含んでいる。
【００３９】
図３に示した画面例１において、表示制御部１４は、重複発生した第１イベント１１１と、第２イベント１１２と、第３イベント１１３とを、１画面内で識別表示させている。特に、表示制御部１４は、具体的な発生内容あるいは作動内容を、発生場所とともに、文字により表示部１８に識別表示させている。この結果、複数のイベントが重複して発生した場合に、オペレータがいずれかのイベントを見落とすおそれを抑制することのできる火災受信機を実現できる。
【００４０】
なお、表示制御部１４は、重複して発生した複数のイベントを表示する際に、第１イベント１１１と、第２イベント１１２と、第３イベント１１３とを、文字色あるいは背景色を異ならせることで識別表示させることもできる。単に複数のイベントを同時に表示させるだけではなく、個々のイベントを色識別表示させることで、複数のイベントが重複して発生した場合にも、オペレータがいずれかのイベントを見落とすおそれをさらに抑制することができる。
【００４１】
また、イベントの種類に応じて、文字色あるいは背景色をあらかじめ特定しておくことも可能である。例えば、第１イベントのように、火災が発生した旨を示すイベントは、背景色を赤色とし、第２イベントのように、端末装置が作動した旨を示すイベントは、背景色を青色とし、第３イベントのように、ガス漏れ警報が発生した旨を示すイベントは、背景色を黄色とする、といったように、各イベントの属性に応じて背景色パターンを特定しておくことが考えられる。これにより、複数のイベントが重複して発生した場合にも、オペレータがいずれかのイベントを見落とすおそれを抑制することができるとともに、オペレータは、背景色パターンに基づいて、イベントの属性を容易に識別することが可能となる。
【００４２】
＜画面例２：４つのイベントが重複して検出された場合の画面表示＞
図４は、本発明の実施の形態１において、４つのイベントが重複して検出された場合を表示した画面例２を示す図である。
【００４３】
図４における画面表示エリアは、先の図３と同様に、上段の情報表示エリア１１０と、下段の操作表示エリア１２０とに大別される。情報表示エリア１１０には、第１イベント１１１と、第２イベント１１２と、第３イベント１１３と、第４イベント１１４とが、ある時間帯で重複して発生した際の表示例が示されている。具体的には、この図４では、図３に示した状態から、さらに、以下の第４イベント１１４も重複して発生した場合を例示している。
【００４４】
第４イベント１１４：火災受信機１０に設置されている非常電話に、着信があった旨を表示したもの。
【００４５】
また、操作表示エリア１２０は、左側の文字表示エリア１２０Ａと、右側のイラスト表示エリア１２０Ｂを含んでいる。
【００４６】
図４に示した画面例２において、表示制御部１４は、重複発生した第１イベント１１１と、第２イベント１１２と、第３イベント１１３と、第４イベント１１４とを、１画面内で識別表示させている。特に、表示制御部１４は、具体的な発生内容、作動内容、あるいは非常電話の受信状況を、発生場所とともに、文字により識別表示させている。この結果、複数のイベントが重複して発生した場合に、オペレータがいずれかのイベントを見落とすおそれを抑制することのできる火災受信機を実現できる。
【００４７】
なお、表示制御部１４は、重複して発生した複数のイベントを表示する際に、第１イベント１１１と、第２イベント１１２と、第３イベント１１３と、第４イベント１１４とを、文字色あるいは背景色を異ならせることで識別表示させることもできる。単に複数のイベントを同時に表示させるだけではなく、個々のイベントを色識別表示させることで、複数のイベントが重複して発生した場合にも、オペレータがいずれかのイベントを見落とすおそれをさらに抑制することができる。
【００４８】
例えば、先述した一例のように、火災発生を示すイベントの背景色を赤色、端末装置作動を示すイベントの背景色を青色、ガス漏れ警報を示すイベントの背景色を黄色としたとき、非常電話の着信は、火災発生を示すイベントであるので第１イベント１１１と同じ赤色としてもよいし、非常電話の着信の場合は同じ赤系のえんじ色等としてもよい。
【００４９】
なお、上述した画面例１、２では、３つまたは４つのイベントが重複して検出された場合の画面表示を示した。しかしながら、５つ以上のイベントが重複して検出された場合にも、画面サイズに応じて、同時に表示させることが可能である。
【００５０】
なお、表示制御部１４は、識別表示以外に、イベントの属性に応じた鳴動指令を出力することで、報知部１７を介して警報音を鳴らし、オペレータに対してイベントの発生を報知することもできる。ここで、表示制御部１４は、３つ以上のイベントが重複して発生した場合には、あらかじめ設定されたイベントごとの重要度に応じて、重要度の高い１つまたは２つのイベントについて、順番に繰り返し鳴動指令を出力し、重要度の低いイベントについては鳴動指令を出力しないように制御することができる。
【００５１】
また、発生したイベントに対応する警報音と音声を鳴動させてもよく、この場合も３つ以上のイベントが重複して発生した場合には、イベントの重要度に応じて重要度の高い１つまたは２つのイベントについて、順番に繰り返し鳴動するようにしてもよいし、重要度の低いイベントの警報音のみ省略して、重要度の高いイベントに対応した警報音に続いて発生した全てのイベントを音声で報知するようにしてもよい。
【００５２】
例えば、３つのイベントが発生したとき、第３イベントの重要度が低い場合には、［第１イベントの警報音→第１イベントの音声→第２イベントの警報音→第２イベントの音声→第３イベントの音声］を繰り返し鳴動させてもよい。すなわち、重要イベントに相当する第１イベントおよび第２イベントに関しては、警報音と音声の両方を鳴動させ、重要度の低い第３イベントに関しては、音声のみを鳴動させ、警報音による鳴動を省略した上で、３つのイベントを順番に繰り返し鳴動させることができる。
【００５３】
いずれの方法も重要度の低いイベントの警報音や音声を省略することで重要度の高いイベントの発生を認識しやすくなる。このとき、表示部１８には、鳴動を省略されたイベントについても表示されているので、これらを見落とすことも抑制されている。
【００５４】
すなわち、表示制御部１４は、３つ以上のイベントが重複して発生した場合には、すべてのイベントに対応して警報音をならすのではなく、重要度の高い１つまたは２つのイベントに限定して、警報音を鳴らすように制御することができる。この結果、３つ以上の警報音が混在して鳴ることで、警報音を識別しづらくなる状況を回避することができる。
【００５５】
以上のように、実施の形態１に係る火災受信機は、複数のイベントが重複して発生した場合にも、少なくとも３つ以上のイベントを、具体的な発生内容および発生場所を特定できる情報として、１画面内に同時に表示させる機能を有する。さらに、実施の形態１に係る火災受信機は、同時表示させる複数のイベントを、イベントの属性に応じて文字色あるいは背景色を異ならせることで識別表示させる機能を付加することもできる。
【００５６】
この結果、実施の形態１によれば、複数のイベントが重複して発生した場合にも、オペレータがいずれかのイベントを見落とすおそれを抑制することのできる火災受信機を実現できる。
【符号の説明】
【００５７】
１０  火災受信機、１１  受信部、１２  記憶制御部、１３  火災判定部、１４  表示制御部、１５  操作制御部、１６  記憶部、１７  報知部、１８  表示部、１９  操作部、２０  端末機器、１１０  情報表示エリア、１２０  操作表示エリア、１２０Ａ  文字表示エリア、１２０Ｂ  イラスト表示エリア、１３０  メニュー画面表示エリア。
【図１】
2020017045.tif 000003
【図２】
2020017045.tif 000004
【図３】
2020017045.tif 000005
【図４】
2020017045.tif 000006